(57)【要約】      （修正有）【課題】マスクを一時保管することができる使い捨てのマスクポーチを提供する。【解決手段】マスクポーチ１は、マスク９を一時保管するための紙製で封筒形の収納用袋７であって、この収納用袋７の展開図は、矩形状の天地２と、この天地２の一方の長辺２ａ１に隣接して設けられるかぶせ３と、天地２において開口７ａを形成しない側の短辺２ｂ２に隣接して設けられる底４と、天地２の他方の長辺２ａ２に隣接して設けられ、定規を兼ねた貼り合わせ５と、収納用袋７を構成する紙に塗布又は含浸されている抗菌性印刷ニスと、を備える。【選択図】図３
0003229148.tif 000002
【実用新案登録請求の範囲】
【請求項１】
マスクを一時保管するための紙製で封筒形の収納用袋であって、
前記収納用袋の展開図は、
矩形状の天地と、
前記天地の一方の長辺に隣接して設けられるかぶせと、
前記天地において開口を形成しない側の短辺に隣接して設けられる底と、
前記天地の他方の長辺に隣接して設けられ、定規を兼ねた貼り合わせと、
前記収納用袋を構成する紙に塗布又は含浸されている抗菌性印刷ニスと、を備えていることを特徴とするマスクポーチ。
【請求項２】
組立て後の前記収納用袋の前記開口は、凹状の切欠きを備えていることを特徴とする請求項１に記載のマスクポーチ。
【請求項３】
前記紙は、普通紙であることを特徴とする請求項１又は請求項２に記載のマスクポーチ。
【請求項４】
前記天地の短辺は８０−９０ｍｍの範囲内であり、
前記天地の前記長辺は１８０−２００ｍｍの範囲内であることを特徴とする請求項１乃至請求項３のいずれか１項に記載のマスクポーチ。
【考案の詳細な説明】
【技術分野】
【０００１】
本考案は、マスクを一時保管することができる使い捨てのマスクポーチに関する。
【背景技術】
【０００２】
近年、ウィルス感染症（例えばＣＯＶＩＤ−１９等）の蔓延に伴い、マスクを着用したり、携行したりすることが日常的に行われている。
また、使用中のマスクの衛生状態を好適に保つべく、マスクの使用を一時的に中断する際は、マスクを直置きしたり、手持ちのカバン等にそのまま収納したりするのではなく、何らかの容器に収容した状態で保管しておくことが望ましい。
このような事情に対処するための先願としては、例えば以下に示すようなものが知られている。
【０００３】
特許文献１には「携帯型マスクポーチ」という名称で、マスクを収納するのに適した携帯型マスクポーチに関する発明が開示されている。
特許文献１に開示される発明は、同文献中の図６に記載される符号を用いて説明すると、袋状に形成された生地１からなり、一部に開口部１６，１７を有し、マスクを挿入及び挿出可能なマスク収納部１４，１５を有する袋本体部１１と、この袋本体部１１に一体形成され、開口部１６，１７を閉塞する閉じ位置Ａ１と開口部１６，１７を開放する開き位置とで相似形状に変形可能に折り返されるカバー部１２と、を備えてなるものである。
特許文献１に開示される発明によれば、使い捨てマスクを携帯する際、衛生面で身体の健康を保つのに好ましく、気軽に携帯することができ、場所や時間の制約を受けずに即座に使用できる携帯型マスクポーチを提供することができる。
さらに、特許文献１に開示される発明によれば、携帯型マスクポーチが布製であるため、洗濯することができる。このため、特許文献１に開示される発明によれば、携帯型マスクポーチの衛生状態を良好に維持できる。
【先行技術文献】
【特許文献】
【０００４】
【特許文献１】特許第５８９７１０３号公報
【考案の概要】
【考案が解決しようとする課題】
【０００５】
特許文献１に開示される発明の場合は、携帯型マスクポーチをこまめに洗濯しないと携帯型マスクポーチ自体が不衛生な状態になってしまい、その中に収納されるマスクを汚損させる原因になりかねないという課題があった。
【０００６】
本考案はかかる従来の事情に対処してなされたものであり、衛生的な状態に維持することができ、かつ簡易に使い捨てできるマスクポーチを提供することにある。
【課題を解決するための手段】
【０００７】
上記課題を解決するため第１の考案であるマスクポーチは、マスクを一時保管するための紙製で封筒形の収納用袋であって、この収納用袋の展開図は、矩形状の天地と、この天地の一方の長辺に隣接して設けられるかぶせと、上記天地において開口を形成しない側の短辺に隣接して設けられる底と、上記天地の他方の長辺に隣接して設けられ、定規を兼ねた貼り合わせと、収納用袋を構成する紙に塗布又は含浸されている抗菌性印刷ニスと、を備えていることを特徴とするものである。
上記構成の第１の考案において、紙面に設けられる天地、かぶせ、底及び定規を兼ねた貼り合わせは、印刷された紙面から切り抜かれ、組立てられ、さらに糊付けされることで、紙製で封筒形の収納用袋となる。また、この収納用袋はその中空部内に使用中のマスクを収容するという作用を有する。
また、この収納用袋を構成する紙に抗菌性印刷ニスが塗布又は含浸されていることで、収納用袋を衛生的な状態に保つという作用を有する。
加えて、上記抗菌性印刷ニスは、撥水性を有しているため第１の考案を構成する収納用袋に意図せず水滴が触れて、その部分の紙が軟化して収納用袋が破損するのを防ぐという作用を有する。
さらに、この収納用袋を紙製とすることで、この収納用袋を布製にする場合に比べて破損し易くするという作用を有する。これにより、使用者に第１の考案であるマスクポーチの廃棄と交換を促して、新しいマスクポーチを常時使用させるという作用を有する。
【０００８】
第２の考案であるマスクポーチは、上述の第１の考案であるマスクポーチであって、組立て後の収納用袋の開口は、凹状の切欠きを備えていることを特徴とするものである。
上記構成の第２の考案は、上述の第１の考案による作用と同じ効果に加えて、収納用袋の開口に設けられる凹状の切欠きに指先をあてがって、天地またはかぶせの短辺を押すことで、閉じた状態の収納用袋の開口を押し広げて開いた状態にするという作用を有する。
【０００９】
第３の考案であるマスクポーチは、上述の第１又は第２の考案であって、収納用袋を構成する紙は、普通紙であることを特徴とするものである。
上記構成の第３の考案は、上述の第１又は第２の考案による作用と同じ作用に加えて、収納用袋を構成する紙が普通紙であることで、収納用袋の耐久性をより低下させて、使用者に第３の考案であるマスクポーチの交換を一層頻繁に促すという作用を有する。
また、収納用袋を構成する紙が普通紙であることで、第３の考案の単価を安価にし、これにより第３の考案であるマスクポーチの使い捨てを一層促進させるという作用を有する。
【００１０】
第４の考案であるマスクポーチは、上述の第１乃至第３のいずれかの考案であって、天地の短辺は８０−９０ｍｍの範囲内であり、天地の長辺は１８０−２００ｍｍの範囲内であることを特徴とするものである。
上記構成の第４の考案は、上述の第１乃至第３のそれぞれの考案による作用と同じ作用に加えて、マスクポーチを構成する収納用袋の展開図における天地のサイズを上記の通り特定することで、マスクポーチのサイズをコンパクトにするという作用を有する。この結果、Ａ４サイズの用紙を１枚用いて、１つの第４の考案であるマスクポーチが作成可能になる。
マスクポーチの天地のサイズが上記のように特定される場合は、さらにマスクを格納したマスクポーチを例えば長財布に収納して持ち運ぶことを可能にするという作用を有する。
【考案の効果】
【００１１】
上述のような第１の考案によれば、マスクポーチとして従来公知の角封筒を使用する場合と比べて、収納用袋は開口に「ベロ」を備えていないので、収納用袋へのマスクの出し入れが容易になる。
また、第１の考案によれば、マスクポーチを構成する素材として抗菌性印刷ニスが塗布又は含浸されていない従来公知の紙袋を使用する場合と比べて、収納用袋の衛生状態を良好に保ちつつ、収納用袋に意図せず水滴が触れた際に紙が軟化して収納用袋が容易に破損するのを防ぐことができる。
また、第１の考案では、マスクポーチが紙製であることで、布製である場合よりも破損し易い。これにより、マスクポーチの廃棄と交換が促進されるため、マスクポーチの衛生状態を常に良好に維持することができる。
したがって、第１の考案によれば、一時保管中のマスクがマスクポーチによって汚損されたことが原因で、使用者が感染症に罹患するのを好適に防止できる。
【００１２】
第２の考案は、上述の第１の考案による効果と同じ効果を有する。さらに、第２の考案は、収納用袋の開口を容易に開くことができるので、収納用袋内への使用中のマスクの出し入れが容易になる。
よって、第２の考案によれば利便性に優れたマスクポーチを提供することができる。
【００１３】
第３の考案によれば、上述の第１又は第２の考案と同じ効果に加えて、マスクポーチを構成する収納用袋の耐久性をより低下させて一層破損し易くするとともに、マスクポーチを安価に提供することができる。
この結果、マスクポーチの廃棄と交換が一層促進されて、マスクポーチにおいて一時保管されるマスクをより衛生的な状態に保つことができる。
よって、第３の考案によれば、マスクポーチ自体の不衛生化を防止して、使用者のマスク使用時の安全性を一層向上させることができる。
【００１４】
第４の考案は、上述の第１乃至第３の考案のそれぞれと同じ効果に加えて、マスクポーチ自体がコンパクトなサイズになり、その携行が容易になる。
さらに、マスクポーチを長財布に収納して持ち運べることで、マスクポーチや、マスクを収容したマスクポーチの、置き忘れによる紛失を防止できる。
この場合、使用者は必要時にマスクを着用できかつ、不使用時にはマスクをマスクポーチで保管することができるので、使用者が感染症に罹患するリスク、並びに、感染症に罹患した使用者がマスクを着用しないことで第三者に感染症を拡散するリスクを低減することができる。
【図面の簡単な説明】
【００１５】
【図１】本考案の実施形態に係るマスクポーチの外側面からみた展開図である。
【図２】本考案の実施形態に係るマスクポーチの組立の様子を示す斜視図である。
【図３】本考案の実施形態に係るマスクポーチの完成した状態をかぶせ側からみた斜視図である。
【考案を実施するための形態】
【００１６】
本考案の実施形態に係るマスクポーチについて図１乃至図３を参照しながら詳細に説明する。
【００１７】
図１は本考案の実施形態に係るマスクポーチの外側面からみた展開図である。
図１に示すように、本実施形態に係るマスクポーチの展開図８は、矩形状の天地２と、この天地２の一方の長辺２ａ１に隣接して設けられるかぶせ３と、天地２において後述する開口７を形成しない側の短辺２ｂ２に隣接して設けられる底４と、天地２の長辺２ａ２に隣接して設けられ、定規を兼ねた貼り合わせ５を備えなるものである。
また、本考案の実施形態に係るマスクポーチ１は、上記のような展開図８を紙面上に印刷したものを準備し（ステップＳ１）、その展開図８の外縁に沿って不要分を切除したものを（ステップＳ２）、以下に示す手順にて、従来公知の「ベロ」を有しない角封筒状に組立てて使用する。
【００１８】
次に、図２，３を参照しながら本実施形態に係るマスクポーチの組立手順について説明する。
図２は本考案の実施形態に係るマスクポーチの組立の様子を示す斜視図である。また、図３は本考案の実施形態に係るマスクポーチの完成した状態をかぶせ側からみた斜視図である。なお、図１に記載されたものと同一部分については同一符号を付し、その構成についての説明は省略する。
先の図１に示す状態の展開図８を組立てて封筒形の収納用袋７を形成するには、まず、紙面に印刷された展開図８（ステップＳ１）を切り抜いた後（ステップＳ２）、この展開図８において内側面となる側の面を鉛直上方に向けた状態にして台上等に載置する（ステップＳ３）。
続いて、この状態から図２に示すように、天地２の長辺２ａ１に折り目を形成してかぶせ３を天地２上に重ね合わせるように配置する（ステップＳ４）。
さらに、天地２の長辺２ａ２，短辺２ｂ２にも折り目を形成して、それぞれの辺に隣接する貼り合わせ５，底４を天地２上に重ね合わせるように配置する（ステップＳ５）。
【００１９】
この後、貼り合わせ５に糊等の接着剤（図示せず）を塗布して、この貼り合わせ５上にかぶせ３の長辺３ａを重ね合わせて一体に接合して、天地２及びかぶせ３により、押し潰された状態の筒体を形成する（ステップＳ６）。
最後に、底４の内側面に糊等の接着剤（図示せず）を塗布して、かぶせ３の短辺３ｂ２上に重ねて一体に接合することで（ステップＳ７）、天地２の短辺２ｂ１及びかぶせ３の短辺３ｂ１からなる環状の開口７ａを備えた収納用袋７にすることができる（図３を参照）。
そして、図３に示す本実施形態に係るマスクポーチ１は、収納用袋７の開口７ａから使用中のマスク９を出し入れして使用する。
なお、本実施形態では、展開図８における底４や貼り合わせ５に糊等の接着剤（図示せず）を塗布して収納用袋７を形成する場合を例に挙げて説明しているが、底４や貼り合わせ５に予め粘着剤を印刷塗布しておき、この部分を軽く水で湿らせるだけでこれらを接着できるよう構成してもよい。あるいは、展開図８における底４や貼り合わせ５にシール材を予め印刷塗布しておき、さらにシールカバーを設けておいてこのシールカバーを剥離するだけで接着できるよう構成してもよい。
【００２０】
また、本実施形態のマスクポーチ１では、収納用袋７を構成する紙に抗菌性印刷ニス（図示せず）が塗布又は含浸されている。なお、抗菌性印刷ニスを紙に塗布又は含浸するタイミングとしては、上述のステップＳ１（紙面への展開図８の印刷時）の前後のいずれかがよい。
このように、本実施形態に係るマスクポーチ１では、収納用袋７を構成する紙に抗菌性印刷ニスが塗布又は含浸されていることで、収納用袋７自体に抗菌作用を発揮させつつ、収納用袋７が水滴に触れた際に容易に破損させない程度の適度な撥水性を付与することができる。
したがって、本実施形態に係るマスクポーチ１によれば、その中空部内にマスク９を収容して保管する際に、マスク９を衛生的な状態に保つことができる。これにより、マスク９がマスクポーチ１により汚損されて、汚損されたマスク９を着用することで使用者が感染症等に罹患するのを防ぐことができる。
また、本実施形態に係るマスクポーチ１は紙製であるため、布製の場合よりも容易に破損する。これにより、本実施形態に係るマスクポーチ１の廃棄と交換が促されて、使用者は常に新しいマスクポーチ１を使用することになる。この結果、収納用袋７内に一時保管されるマスク９の衛生状態が良好に保たれて、使用者がマスクポーチ１を介して感染症に罹患するリスクを低減することができる。
【００２１】
さらに、本実施形態に係るマスクポーチ１は、紙製であるため紙面に展開図８を印刷する際に、併せて宣伝広告用の絵文字や画像等を印刷しておいてもよい。
この場合、本実施形態に係るマスクポーチ１の外側面に宣伝広告用の絵文字や画像等が常時表示させておくことができるので、販促用の配布物としてマスクポーチ１を活用できる。
【００２２】
また、本実施形態では、スミ貼りタイプの封筒の展開図８を利用する場合を例に挙げて説明しているが、センター貼りタイプの封筒の展開図を用いても本実施形態に係る収納用袋７と同様の収納用袋を形成することができる。また、特に図示しないがセンター貼りタイプの封筒の展開図では、スミ貼りタイプの封筒の展開図と比べてかぶせ３の幅（短辺３ｂ１，３ｂ２方向長さ）が短くなる一方で、外観上、貼り合わせ５の幅（短辺３ｂ１，３ｂ２方向長さ）が長くなる。これは貼り合わせ５の長辺２ａ２側に定規が設けられるためである。なお、スミ貼りタイプの封筒の展開図８では、貼り合わせ５が定規を兼ねている。
【００２３】
また、本実施形態に係るマスクポーチ１は、図１乃至図３に示すように、収納用袋７の開口７ａに切欠き６を備えていてもよい。
この場合、使用者はこの切欠き６に指先をあてがって天地２を押圧することで収納用袋７の開口７ａを容易に広げることができる。この場合、収納用袋７へのマスク９の出し入れが容易になる。よって、本実施形態に係るマスクポーチ１の利便性を向上させることができる。
なお、本実施形態に係るマスクポーチ１では、かぶせ３の短辺３ｂ１に切欠き６を設ける場合を例に挙げて説明しているが、この切欠き６は天地２の短辺２ｂ１に形成されていてもよい。この場合も、上記切欠き６を備えることによる作用効果と同じ作用効果を発揮させることができる。
【００２４】
さらに、本実施形態に係るマスクポーチ１では、収納用袋７を構成する紙として普通紙を用いてもよい。
この場合、収納用袋７の材質として従来公知の角封筒に用いられているクラフト紙を採用する場合に比べて、収納用袋７の耐久性を低くすることができかつ、その製造コストを安価にすることができる。
この場合、本実施形態に係るマスクポーチ１の廃棄と交換が一層促進されるので、使用者が新しいマスクポーチ１を使用する頻度が高くなる。この結果、本実施形態に係るマスクポーチ１が汚損されることでマスク９が汚損され、これにより使用者が感染症に罹患してしまうリスクを低減することができる。
【００２５】
加えて、本実施形態に係るマスクポーチ１では、収納用袋７を構成する天地２の短辺２ｂ１，２ｂ２の寸法を８０−９０ｍｍの範囲内に特定するとともに、天地２の長辺２ａ１，２ａ２の寸法を１８０−２００ｍｍの範囲内に特定しておいてもよい。
この場合、１つのマスクポーチ１の作製に要する展開図８をＡ４サイズに収めることができるので、本実施形態に係るマスクポーチ１の製造コストを一層廉価にできる。
また、本実施形態に係るマスクポーチ１の天地２のサイズを上記の通り特定する場合は、マスクポーチ１を長財布に入れて持ち運ぶことが可能になる。この場合、マスクポーチ１や、マスクポーチ１並びに使用中のマスク９の置き忘れによる紛失を防止できる。
この結果、使用者は必要な時にマスク９及びマスクポーチ１を使用することができ、感染症予防や、感染症の拡大防止に資することができる。
【産業上の利用可能性】
【００２６】
以上説明したように本考案は、マスクを一時保管することができる使い捨てのマスクポーチであり、日用品や衛生用品に関する技術分野において利用可能である。
【符号の説明】
【００２７】
１…マスクポーチ  ２…天地  ２ａ１，２ａ２…長辺  ２ｂ１，２ｂ２…短辺  ３…かぶせ  ３ａ…長辺  ３ｂ１，３ｂ２…短辺  ４…底  ５…貼り合わせ  ６…切欠き  ７…収納用袋  ７ａ…開口  ８…展開図  ９…マスク  １０…収納用袋
【図１】
0003229148.tif 000003
【図２】
0003229148.tif 000004
【図３】
0003229148.tif 000005